(57)【要約】【課題】構造の簡単化、体積の縮小化、照準の安定した移動を達成することが可能なオートフォーカスカメラモジュールを提供する。【解決手段】底蓋１０、二つの固定軸２０、二つの導電部材３０、下枠４０、レンズホルダー５０、二つのバネ６０、レンズ８０、コイル７０、上枠９０、二つの磁石１００、及び上蓋１１０より構成され、レンズホルダー５０、コイル７０、及び上枠９０をレンズ８０の周囲上を挟むように設置してレンズモジュール２を形成し、コイル７０はレンズホルダー５０及び上枠９０の間に挟んで固定され、二つの弧形の磁石１００はコイル７０の左右外縁に挟んで設置され、二つのバネ６０は底蓋１０内面の対角する固定軸２０上に被せて設けられ、上蓋１１０の内面において上方向に圧迫することにより、レンズの焦点移動に対し均衡させる弾力を提供する。【選択図】図２
0003120495.tif 000002
【実用新案登録請求の範囲】
【請求項１】
底蓋、二つの固定軸、二つの導電部材、下枠、レンズホルダー、二つのバネ、レンズ、コイル、上枠、二つの磁石、上蓋より構成されてなり、
該底蓋は、矩形フレームにてなり、４つの角には４つの支持部を設けて上蓋と一体にに形成してなり、中央には通孔を設けてなりレンズの光学経路を形成してなり、内面の対角には二つの固定孔を設けてなり固定軸を挿入させてなり、
該二つの固定軸は底蓋内面に対角する二つの固定孔上に垂直に挿入固定されてなり、
該二つの導電部材は、底蓋上に貼付され異なる電極を連接すると共に、二つの導電部材の間には中央孔を設けレンズの光学経路を形成してなり、各導電部材は通孔を設けて固定軸を通過させてなり、
該下枠は二つの導電部材上に設けられ、中央には中央孔を設けてレンズの光学経路を形成してなり、
該レンズホルダーは、リング形フレーム及びフレームの縁の二つの対称な耳より構成され、該二つの耳上には通孔を設け二つの固定軸を対応させ通過させてなり、更に中央孔を設けてなりレンズを組み込ませてなり、
該二つのバネは固定軸上に被せて設けられると共に各バネの底端はレンズホルダーの二つの対称な耳上に下方向に圧迫されてなり、
該レンズは、レンズホルダーの中央孔内に固定設置されてなり、
該コイルはレンズモジュールのリング形フレーム上面に被せて設けられ、頭尾両端の導線は導電部材に連接なれてなり、
該上枠はリング形フレーム及びフレームの縁の二つのラッチより構成されてなり、二つのラッチとレンズホルダーが嵌合されることにより、上枠、コイル及びレンズホルダーはレンズの周りを挟んで設けられレンズモジュールを構成してなり、コイルは上枠のリング形フレーム及びレンズホルダーの対応するリング形フレームの間に挟まれ固定されてなり、
該二つの磁石は二つの対称する弧形磁石にてなり、コイルの左右外縁を挟んで設けられてなり、
該上蓋は底蓋と嵌合されて一体に形成されカメラモジュールを構成してなり、二つの磁石は上蓋及び下枠の間に挟まれ固定されてなり、二つのバネは上蓋の内面上において上方向に圧迫し、二つのバネは上蓋の内面とレンズホルダーの耳の間に挟んで設けられてなり、
コイルと磁石との間の相互作用を利用して発生する電磁力によりレンズモジュールを駆動し軸方向に移動させ、二つのバネは固定軸上に被せて設けられると共に弾性はレンズモジュールと上蓋内面の間に支えられて、レンズモジュールは安定した軸方向移動をすることができることを特徴とするオートフォーカスカメラモジュール。
【請求項２】
前記二つの導電部材上には上方向に突き出る凸部を設け、下枠上には対応する凸軸を設置し、コイルの頭尾両端の導線は引き出され凸軸に巻きつけられ導電部材の凸部上に溶接されてなることを特徴とする請求項１に記載のオートフォーカスカメラモジュール。
【請求項３】
前記底蓋内面の対角には二つの定位軸が設けられ、該二つの導電部材及び該下枠の対応する位置には二つの定位孔が設けられてなり、底蓋の二つの定位軸上に対応され被せ合わせられてなることを特徴とする請求項１に記載のオートフォーカスカメラモジュール。
【考案の詳細な説明】
【技術分野】
【０００１】
本考案は、電磁力及び圧縮バネの弾力を利用しカメラが照準を調整する駆動力とすることを特徴としたオートフォーカスカメラモジュールに関する。
【背景技術】
【０００２】
デジタルカメラ或いは撮影機能を備える携帯電話は皆カメラモジュールを設けてなると共に、カメラモジュール上には照準調整装置を附設することが可能である。現在使用されているカメラモジュールは設計において軽量、極薄、短小であることが要求されると共に、精密性及び耐久性を備えてなることが必要とされ、例えば照準調整装置は少なくとも２０万回操作において照準が外れないことを保障する必要がある。公知の照準調整装置は電磁力方式を利用して調整されるが、公知の技術においてコイルはレンズ部分（レンズ及びフレームを含む）の周りに設置されると共に、コイルの周りに設置される磁石は巻き付け式リング形の磁石にてなり、公知のレンズモジュールが占有する体積が相対的に増大し、小型がすることが困難である。公知の技術では弾性部材による弾力と電磁力とを利用して平衡状態を形成してなるが、該弾性部材の設計は震動、ポジションのリセット等を含む外力を受けて変形し易く、又長時間使用した後、レンズ部分の移動における安定性及び確実性に影響が生じる。
【特許文献１】特開平９−２６５１１７号公報
【考案の開示】
【考案が解決しようとする課題】
【０００３】
本考案は、レンズホルダー、コイル、及び上枠をレンズの周りに設置してレンズモジュールを構成してなり、該コイルはレンズホルダーと上枠に挟まれ固定されてなる。又、二つの孤形の磁石をコイルの左右に分けて設置し、上蓋により定位され、二つのバネを底蓋内面の対角する固定軸上に分けて設置し、上蓋内面において上部に圧迫させ、レンズモジュールが構造の簡単化、体積の縮小化、照準の安定した移動を達成することが可能なオートフォーカスカメラモジュールを提供することを目的とする。
【課題を解決するための手段】
【０００４】
上記課題を解決するために、本考案は、以下の特徴を有するオートフォーカスカメラモジュールを提供する。
１．請求項１に記載のオートフォーカスカメラモジュールは、底蓋、二つの固定軸、二つの導電部材、下枠、レンズホルダー、二つのバネ、レンズ、コイル、上枠、二つの磁石、上蓋より構成されてなり、該底蓋は、矩形フレームにてなり、４つの角には４つの支持部を設けて上蓋と一体にに形成してなり、中央には通孔を設けてなりレンズの光学経路を形成してなり、内面の対角には二つの固定孔を設けてなり固定軸を挿入させてなり、該二つの固定軸は底蓋内面に対角する二つの固定孔上に垂直に挿入固定されてなり、該二つの導電部材は、底蓋上に貼付され異なる電極を連接すると共に、二つの導電部材の間には中央孔を設けレンズの光学経路を形成してなり、各導電部材は通孔を設けて固定軸を通過させてなり、該下枠は二つの導電部材上に設けられ、中央には中央孔を設けてレンズの光学経路を形成してなり、該レンズホルダーは、リング形フレーム及びフレームの縁の二つの対称な耳より構成され、該二つの耳上には通孔を設け二つの固定軸を対応させ通過させてなり、更に中央孔を設けてなりレンズを組み込ませてなり、該二つのバネは固定軸上に被せて設けられると共に各バネの底端はレンズホルダーの二つの対称な耳上に下方向に圧迫されてなり、該レンズは、レンズホルダーの中央孔内に固定設置されてなり、該コイルはレンズモジュールのリング形フレーム上面に被せて設けられ、頭尾両端の導線は導電部材に連接なれてなり、該上枠はリング形フレーム及びフレームの縁の二つのラッチより構成されてなり、二つのラッチとレンズホルダーが嵌合されることにより、上枠、コイル及びレンズホルダーはレンズの周りを挟んで設けられレンズモジュールを構成してなり、コイルは上枠のリング形フレーム及びレンズホルダーの対応するリング形フレームの間に挟まれ固定されてなり、該二つの磁石は二つの対称する弧形磁石にてなり、コイルの左右外縁を挟んで設けられてなり、該上蓋は底蓋と嵌合されて一体に形成されカメラモジュールを構成してなり、二つの磁石は上蓋及び下枠の間に挟まれ固定されてなり、二つのバネは上蓋の内面上において上方向に圧迫し、二つのバネは上蓋の内面とレンズホルダーの耳の間に挟んで設けられてなり、コイルと磁石との間の相互作用を利用して発生する電磁力によりレンズモジュールを駆動し軸方向に移動させ、二つのバネは固定軸上に被せて設けられると共に弾性はレンズモジュールと上蓋内面の間に支えられて、レンズモジュールは安定した軸方向移動をすることができることを特徴とする。
２．請求項２に記載のオートフォーカスカメラモジュールは、請求項１の場合において、前記二つの導電部材上には上方向に突き出る凸部を設け、下枠上には対応する凸軸を設置し、コイルの頭尾両端の導線は引き出され凸軸に巻きつけられ導電部材の凸部上に溶接されてなることを特徴とする。
３．請求項３に記載のオートフォーカスカメラモジュールは、請求項１の場合において、前記底蓋内面の対角には二つの定位軸が設けられ、該二つの導電部材及び該下枠の対応する位置には二つの定位孔が設けられてなり、底蓋の二つの定位軸上に対応され被せ合わせられてなることを特徴とする。
【考案の効果】
【０００５】
本考案のカメラモジュール１は公知のカメラモジュールと比較し少なくとも下記の効果を備えてなる。
【０００６】
１．本考案のコイル７０は直接レンズホルダー５０及び上枠９０の上下に対応する二つのリング形フレーム５１、９１の間に挟まれ固定されてなり、コイル７０は二つのリング形フレーム５１、９１の厚さ内に嵌入されてなり、よってレンズモジュール２の幅及び占有する体積を減少することができ、カメラモジュール１の体積を縮小させることができる。
２．公知の電力式では、巻き付け式リング形磁石をコイルの周りに設置し、全体の外径３６０度を増大させるが、本考案は二つの弧形磁石１００を対称にコイル７０の左右外面に挟んで設置してなり、磁石１００は上蓋１１０及び下枠４０の間に挟まれ固定され移動できなくなり、よって構成部材を簡単化し磁石１００が占める体積を減少させ、カメラモジュール１の体積を縮小化させることがきる。
３．本考案は二つのバネ６０を利用して上蓋１１０の内面とレンズホルダー５０の耳５２との間に挟んで固定し、バネ６０は固定軸２０上に被せてなり、二つのバネ６０が圧縮する過程における安定性を高めてなり、遠近照準調整の実行を安定させることができる。
【考案を実施するための最良の形態】
【０００７】
図１〜図１４に示すように、本考案のカメラモジュール１は、底蓋１０、二つの固定軸２０、二つの導電部材３０、下枠４０、レンズホルダー５０、二つのバネ６０、コイル７０、レンズ８０、上枠９０、磁石１００、及び上蓋１１０より構成されてなり、レンズホルダー５０、コイル７０、及び上枠９０はレンズ８０の周囲に設置されてなり、図２に示すように組み立てられ同じ動きをすることが可能なレンズモジュール２を形成する。レンズモジュール２は二つの固定軸２０、二つの導電部材３０、下枠４０、二つの磁石１００と共に底蓋１０及び上蓋１１０の間に挟まれて設置され組み立てられてカメラモジュール１を形成してなり、レンズモジュール２はカメラモジュール１内にて伸縮活動することができ、レンズ８０は遠近照準調整機能を備えてなる。
【０００８】
図１に示すように、上蓋１１０は底蓋１０に合わせて設計されてなり、底蓋１０と嵌合され一体に形成されてカメラモジュール１となることができ、二つの磁石１００は上蓋１１０及び下枠４０の間に挟まれて固定され移動することはなく、二つのバネ６０は上蓋１１０の内面上にて上方向に圧迫し、二つのバネ６０は上蓋１１０の内面とレンズホルダー５０の耳５２の間に挟まれて設置されると共に、固定軸２０により整えられ、二つのバネ６０は圧縮過程において高い安定性を備えてなる。
【０００９】
図５〜図１４に示すように、底蓋１０は矩形フレームにてなり、４つの角は４つの支持部１１を設けてなり上蓋１１０と一体に組み合わされてなり、その中央には通孔１２が設けられてレンズ８０の光学経路が設けられてなり、又底蓋１０内面には二つの対角に分かれて二つの固定孔１３及び二つの定位軸１４が設けられてなる。
【００１０】
図６に示すように、二つの固定軸２０は底蓋１０内面に固定孔１３上に垂直に挿入され固定されてなる。
【００１１】
図７に示すように、二つの導電部材３０は二つの対称形状の導電銅片にてなり、二つの導電部材３０は底蓋１０上に固定設置されてなり電気的に隔離された状態を形成し、凸部３２により異なる電極を連接してなり、二つの導電部材３０の間には中央孔３３を設けレンズ８０の光学経路を形成してなり、二つの通孔３４を設けてなり二つの固定軸２０を対応させ通過させてなる。
【００１２】
図８に示すように、下枠４０は二つの導電部材３０上に設けられてなり、対角には二つの定位孔４２と底蓋１０の定位軸１４が組み合わせることができ、下枠４０は二つの導電部材３０上に固定設置され、その中央には中央孔４１が設けられてなりレンズ８０の光学経路が形成されてなる。
【００１３】
図９に示すように、レンズホルダー５０はリング形フレーム５１及びフレーム５１のリングの縁に対称に設置される耳５２より構成されてなり、該耳５２上には通孔５３を設け二つの固定軸２０が対応され通過されてなり、レンズホルダー５０は中央孔５４を設けてなりレンズ８０と組み立てられてなる。
【００１４】
図１０に示すように、バネ６０は二つの固定軸２０上被せて設置されてなると共に、二つのバネ６０の底端にはレンズホルダー５０の二つの対称な耳５２上に下に向かい圧力が加えられてなり、又二つのバネ６０は固定軸２０により伸縮活動の安定性を増加させることが可能である。
【００１５】
図１１に示すように、レンズ８０はレンズホルダー５０の中央孔５４内に固定設置されてなる。
【００１６】
図１２に示すように、コイル７０はレンズホルダー５０のリング形フレーム５１上面に被せられ設置されてなり、コイル７０の頭尾両端には二つの導電部材３０の異なる電極が連接されてなる。
【００１７】
図１３に示すように、上枠９０はレンズホルダー５０に合わせて設計されてなり、リング形フレーム９１及びフレーム９１のリングの縁に設置されるラッチ９２より構成されてなり、二つのラッチ９２はレンズホルダー５０と嵌合されてなり、上枠９０、コイル７０及びレンズホルダー５０はレンズ８０の外周上に挟まれ組み立てられてレンズモジュール２を形成してなる。該コイル７０は上枠９０のリング形フレーム９１及びレンズホルダー５０の対応するリング形フレーム５１の間にはコイル７０の幅及び占有する体積を減少することができる。
【００１８】
図１４に示すように、二つの磁石１００は二つの対称な孤形磁石にてなり、コイル７０の左右外縁を挟んで設置されてなり、一般にコイルの周りに設置される巻き付けリング形磁石に取って代わり、磁石１００が占有する体積を減少することができ、コイル７０の頭尾両端は異なる電極及び電流の大小を変更でき、磁石１００（Ｎ，Ｓ極）に合わせて上下異なる方向且つ強弱の異なる電磁力を発生させ、レンズモジュール２を駆動させることにより照準動作を実行することができる。
【００１９】
組み立て時、二つのバネ６０は圧縮式のバネを採用することができると共に上蓋１１０と底蓋１０を嵌合し一体に形成してなる時、該二つのバネ６０は上蓋１１０によって下方向に圧迫されて圧縮状態を形成されてなり、この時二つのバネ６０は同時にレンズモジュール２内のレンズホルダー５０の二つの対称な耳５２を下方向に圧迫し、レンズモジュール２はその伸縮運動の過程において死点となる位置で停止させ、位置の望遠を形成する。コイル７０と磁石１００との間の電磁力の発生方式は上方向のみを選択して電磁力を発生させることができ、照準位置を望遠する時、コイル７０は電流を通さず電磁力が発生されず、この時レンズモジュール２は電磁力の作用を受けず照準位置の望遠を停留する。照準を合わせようとする時、適当な電流がコイル７０を通るように制御して、適当な電磁力を発生させることによりレンズモジュール２を上方向（撮影対象方向）に伸出させ、広角状態を形成し、レンズモジュール２が受ける電磁力が二つのバネ６０のバネ圧縮力と等しくなり平衡に到達する時、レンズモジュール２は調整後の比較的広角な位置で停留し、レンズモジュール２は望遠された位置から広角の位置へ前面移動するには電磁力を必要とし、広角の位置から望遠の位置へ戻るには圧縮されたバネ６０の元の位置に戻ろうとする弾力を利用することができ、このようにして遠近照準調整の効果を達成する。
【００２０】
図７、図８、図１５に示すように、コイル７０の頭尾両端は二つの導電部材３０の異なる電極に連接してなり、該二つの導電部材３０上には上方向突き出る凸部３５を設けてなり、下枠４０上は対応する凸軸４３を設置してなり、コイル７０の頭尾両端の導線７１は引き出し凸軸４３に巻き付けることができ、導電部材３０の凸部３５上に溶接され、導線７１がレンズモジュール２の長時間の活動により断裂することを防止する。
【００２１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２２】
【図１】本考案の実施例の立体図である。
【図２】図１の立体分解図である。
【図３】図１の側面断面図である。
【図４】図１の他の側面断面図である。
【図５】本考案の各部材の立体組立図である。
【図６】本考案の各部材の立体組立図である。
【図７】本考案の各部材の立体組立図である。
【図８】本考案の各部材の立体組立図である。
【図９】本考案の各部材の立体組立図である。
【図１０】本考案の各部材の立体組立図である。
【図１１】本考案の各部材の立体組立図である。
【図１２】本考案の各部材の立体組立図である。
【図１３】本考案の各部材の立体組立図である。
【図１４】本考案の各部材の立体組立図である。
【図１５】本考案の各部材の立体組立図である。
【符号の説明】
【００２３】
１  カメラモジュール
２  レンズモジュール
１０  底蓋
１１  支持部
１２  通孔
１３  固定孔
１４  定位軸
２０  固定軸
３０  導電部材
３１  定位孔
３２  凸部
３３  中央孔
３４  通孔
３５  凸部
４０  下枠
４１  中央孔
４２  定位孔
４３  凸軸
５０  レンズホルダー
５１  フレーム
５２  耳
５３  通孔
５４  中央孔
６０  バネ
７０  コイル
７１  導線
８０  レンズ
９０  上枠
９１  フレーム
９２  ラッチ
１００  磁石
１１０  上蓋
【図１】
0003120495.tif 000003
【図２】
0003120495.tif 000004
【図３】
0003120495.tif 000005
【図４】
0003120495.tif 000006
【図５】
0003120495.tif 000007
【図６】
0003120495.tif 000008
【図７】
0003120495.tif 000009
【図８】
0003120495.tif 000010
【図９】
0003120495.tif 000011
【図１０】
0003120495.tif 000012
【図１１】
0003120495.tif 000013
【図１２】
0003120495.tif 000014
【図１３】
0003120495.tif 000015
【図１４】
0003120495.tif 000016
【図１５】
0003120495.tif 000017